(57)【要約】【課題】電源ユニットを効率的に配置して小型化を図ったプロジェクターを提供する。【解決手段】プロジェクター１は、光源から射出された光束を画像情報に応じて変調し、投写レンズ５によって投写する。プロジェクター１は、光源から投写レンズ５に至る光学系を形成し、略Ｌ字形状の光学ユニット３と、光源に電力を供給する電源ユニット７と、を備え、電源ユニット７は、投写レンズ５に対向して略Ｌ字形状の光学ユニット３の内側に配置され、投写レンズ５の光軸５Ｃに対し、投写レンズ５から光束が投写される方向側に鋭角となるように傾斜している。【選択図】図２
2012226033.tif 000002
【特許請求の範囲】
【請求項１】
光源から射出された光束を画像情報に応じて変調し、投写レンズによって投写するプロジェクターであって、
前記光源から前記投写レンズに至る光学系を形成し、略Ｌ字形状の光学ユニットと、
前記光源に電力を供給する電源ユニットと、
を備え、
前記電源ユニットは、前記投写レンズに対向して前記略Ｌ字形状の内側に配置され、前記投写レンズの光軸に対し、前記投写レンズから前記光束が投写される方向側に鋭角となるように傾斜していることを特徴とするプロジェクター。
【請求項２】
請求項１に記載のプロジェクターであって、
前記電源ユニットの前記投写レンズとは反対側の端部に配置され、前記電源ユニット内の空気を外部に排出する第１の排気ファンを備え、
前記第１の排気ファンは、前記電源ユニットと同一方向に傾斜していることを特徴とするプロジェクター。
【請求項３】
請求項１または請求項２に記載のプロジェクターであって、
前記光源を冷却し、冷却した空気を外部に排出する第２の排気ファン、および前記第２の排気ファンに前記空気を導く排気ダクトをさらに備え、
前記排気ダクトは、前記電源ユニットと前記光源との間に配置されていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光をスクリーン等の投写面に投写するプロジェクターが知られている。また、近年、投写面に近い位置からの投写（近接投写）が可能な短焦点レンズを備えたプロジェクターが知られている。そして、プロジェクターには、光源等に電力を供給する電源ユニットが備えられている（例えば、特許文献１参照）。
【０００３】
特許文献１に記載されている電源ユニットは、光源を駆動する光源駆動ブロックと、光源駆動ブロック等に電力を供給する電源ブロックとを備えている。そして、光源駆動ブロックは、外装ケースの一方の側面に沿って配置され、電源ブロックは、外装ケースの背面に沿って配置され、ライトガイドの光源収納部を囲うように平面視Ｌ字状に形成されている。
【先行技術文献】
【特許文献】
【０００４】
【特許文献１】特開２００４−２７２０９２号公報
【発明の概要】
【発明が解決しようとする課題】
【０００５】
しかしながら特許文献１のプロジェクターは、Ｌ字形状の光学ユニットの外側に電源ユニットが配置されているため、プロジェクターが大型化するという課題がある。そこで、Ｌ字形状の光学ユニットの内側に電源ユニットを配置することが考えられるが、投写レンズが重量の重いレンズ（例えば、近接投写が可能な短焦点レンズ等）を備えている場合には、電源ユニットと投写レンズとを近づけて配置することが難しいという課題がある。すなわち、自重や衝撃等によって倒れやずれが生じないよう投写レンズを強固に支持する構造を設けると、投写レンズに対して電源ユニットを離間させる必要が生じ、プロジェクターが大型化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、投写レンズによって投写するプロジェクターであって、前記光源から前記投写レンズに至る光学系を形成し、略Ｌ字形状の光学ユニットと、前記光源に電力を供給する電源ユニットと、を備え、前記電源ユニットは、前記投写レンズに対向して前記略Ｌ字形状の内側に配置され、前記投写レンズの光軸に対し、前記投写レンズから前記光束が投写される方向側に鋭角となるように傾斜していることを特徴とする。
【０００８】
この構成によれば、電源ユニットは、略Ｌ字形状の光学ユニットの内側に配置されているので、効率よくプロジェクター内に収納され、プロジェクターの小型化が図れる。また、電源ユニットは、投写レンズの光軸に対し、光束が投写される方向側に鋭角となるように傾斜して配置されている。これによって、投写レンズと電源ユニットとの間のスペースを光路後段側より光路前段側を広く形成することができるので、投写レンズを強固に支持するための構成をこの広いスペースに構成することが可能となる。よって、投写レンズの自重やプロジェクターに衝撃が加わった際の、投写レンズの倒れやずれを抑制しつつ、電源ユニットを効率よく配置することが可能となる。
したがって、投写レンズの自重や衝撃等による画質の劣化を抑制しつつ小型化を図ったプロジェクターの提供が可能となる。
【０００９】
［適用例２］上記適用例に係るプロジェクターにおいて、前記電源ユニットの前記投写レンズとは反対側の端部に配置され、前記電源ユニット内の空気を外部に排出する第１の排気ファンを備え、前記第１の排気ファンは、前記電源ユニットと同一方向に傾斜していることが好ましい。
【００１０】
この構成によれば、第１の排気ファンは、電源ユニットの端部に配置され、電源ユニット内の空気を外部に排出する。そして、第１の排気ファンは、電源ユニットと同一方向に傾斜している。これによって、プロジェクターの外装筐体をこの第１の排気ファンに沿って形成することで、大型化を抑制して、外装筐体の側面を傾斜させることができる。これによって、プロジェクターを小型として認識させたり、デザイン性の向上を図ったりすることが可能となる。
【００１１】
［適用例３］上記適用例に係るプロジェクターにおいて、前記光源を冷却し、冷却した空気を外部に排出する第２の排気ファン、および前記第２の排気ファンに前記空気を導く排気ダクトをさらに備え、前記排気ダクトは、前記電源ユニットと前記光源との間に配置されていることが好ましい。
【００１２】
この構成によれば、プロジェクターは、光源を冷却するための第２の排気ファンおよび排気ダクトを備え、排気ダクトは、電源ユニットと光源との間に配置されている。電源ユニットは、投写レンズの光軸に対して傾斜しているので、電源ユニットが光軸に対して略直交するように配置される構成に比べ、排気ダクトの排気側を大きく形成できる。つまり、光源から第２の排気ファンに至るに伴って空気の流路が広がるように形成できる。よって、小型化を図りつつ、光源を効率的に冷却できるプロジェクターの提供が可能となる。
【図面の簡単な説明】
【００１３】
【図１】本実施形態のプロジェクターの外観を示す斜視図。
【図２】本実施形態のプロジェクターの内部を示す平面図。
【図３】本実施形態の光学ユニットの概略構成を示す模式図。
【図４】本実施形態の光学ユニットの分解斜視図。
【図５】本実施形態のプロジェクターの斜視図。
【図６】本実施形態の電源ユニットおよび第１の排気ファンを示す斜視図。
【発明を実施するための形態】
【００１４】
以下、本施形態に係るプロジェクターについて、図面を参照して説明する。
本実施形態のプロジェクターは、光源から射出された光束を画像情報に応じて変調してスクリーン等の投写面に拡大投写する。
【００１５】
〔プロジェクターの主な構成〕
図１は、本実施形態のプロジェクター１の外観を示す斜視図である。図２は、プロジェクター１の内部を示す平面図である。
プロジェクター１は、図１、図２に示すように、外装を構成する外装筐体２、制御部（図示省略）、光学ユニット３、電源ユニット７、冷却装置８およびスピーカー９を備えている。光学ユニット３は、光源３１１（図３参照）を有する光源装置３１および投写レンズ５等を備えている。なお、以下では、説明の便宜上、光源装置３１から光束が射出される方向を＋Ｘ方向（右方向）、プロジェクター１から投写される光束の方向を＋Ｙ方向（前方向）、図１における上方向を＋Ｚ方向（上方向）として記載する。
【００１６】
外装筐体２は、合成樹脂製であり、図１に示すように、アッパーケース２１、ロアーケース２２、フロントケース２３、ランプ蓋２４およびサイドケース２５等を備えており、これらは、ネジ等により固定されている。
【００１７】
アッパーケース２１は、図１に示すように、外装筐体２の上部を構成する。アッパーケース２１の上面２１Ａには、略中央に複数の開口部が形成されており、この開口部からプロジェクター１を操作するための複数の操作キー２６が露出している。操作キー２６の後方の上面２１Ａには、光源装置３１が着脱される開口部（図示省略）が設けられており、この開口部は、ランプ蓋２４によって閉塞されている。
【００１８】
操作キー２６の前方の上面２１Ａには、図１に示すように、上方に膨出する膨出部２１１が形成され、膨出部２１１の後方には、開口部２１２が設けられている。この膨出部２１１および開口部２１２が形成された領域に対応する外装筐体２の内部には、投写レンズ５が配置されている。そして、この開口部２１２から投写レンズ５のレバー５４１が露出する。
【００１９】
ロアーケース２２は、外装筐体２の下部を構成する。ロアーケース２２の下部には、プロジェクター１が机上等に設置される際に設置面に当接する脚部２２１（図５参照）が設けられている。
【００２０】
フロントケース２３は、外装筐体２の前部を構成する。フロントケース２３には、図１に示すように、アッパーケース２１の膨出部２１１に倣う形状の膨出部２３１が形成され、この膨出部２３１の下方には、投写レンズ５から投写される光が通過する投写用開口部２３２が設けられている。また、フロントケース２３には、投写用開口部２３２の下側が前方に膨出する膨出部２３３が形成されている。
【００２１】
サイドケース２５は、図１に示すように、外装筐体２の＋Ｘ側の側面の一部を形成し、アッパーケース２１とロアーケース２２との間に配置される。サイドケース２５には、外気を取り込むための吸気口２５１が設けられている。そして、吸気口２５１の内側には、防塵フィルター２２２（図５参照）が配置される。
【００２２】
外装筐体２の−Ｘ側の側面は、アッパーケース２１とロアーケース２２とで形成されており、この側面には、図２に示すように、前方寄りに形成された第１の排気口２８、および第１の排気口２８の後方に形成された第２の排気口２９が設けられている。
【００２３】
また、アッパーケース２１およびロアーケース２２には、内面から突出する挟持部２７（図５参照）等の複数のボスが形成されている。挟持部２７は、後述する保持部６を挟持するように形成されている。なお、挟持部２７については、後で詳細に説明する。
【００２４】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。
【００２５】
光学ユニット３は、制御部による制御の下、光源装置３１から射出された光束を光学的に処理して投写する。
図３は、光学ユニット３の概略構成を示す模式図である。図４は、光学ユニット３の分解斜視図である。
【００２６】
光学ユニット３は、図３、図４に示すように、光源装置３１、インテグレーター照明光学系３２、色分離光学系３３、リレー光学系３４、電気光学装置３５、これら光源装置３１〜電気光学装置３５を光路上の所定位置に配置する光学部品用筐体４、投写レンズ５、および保持部６を備えている。光学ユニット３は、図３、図４に示すように、光源装置３１〜投写レンズ５が一端から他端に向かって順次配置され、平面視略Ｌ字形状に構成されている。
【００２７】
光源装置３１は、図３に示すように、超高圧水銀ランプやメタルハライドランプ等からなる放電型の光源３１１、リフレクター３１２、光透過部材としての平行化レンズ３１３およびこれらの部材を収納する光源用筐体３１４等を備えている。そして、光源用筐体３１４には、図４に示すように、＋Ｙ側の側面に排気口３１５が設けられ、−Ｙ側の側面に送風口（図示省略）が設けられている。
光源装置３１は、光源３１１から射出された光束をリフレクター３１２にて反射した後、平行化レンズ３１３よって射出方向を揃え、インテグレーター照明光学系３２に向けて射出する。
【００２８】
インテグレーター照明光学系３２は、図３に示すように、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｌに対して略直交する面内にマトリックス状に配列される複数の小レンズを備えている。
【００２９】
第２レンズアレイ３２２は、第１レンズアレイ３２１と略同様の構成を有しており、重畳レンズ３２４とともに、第１レンズアレイ３２１から射出された部分光束を後述する液晶パネル３５２の表面に重畳させる。
偏光変換素子３２３は、第２レンズアレイ３２２から射出されたランダム偏光光を液晶パネル３５２で利用可能な略１種類の偏光光に揃える機能を有する。
【００３０】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３１】
リレー光学系３４は、入射側レンズ３４１、リレーレンズ３４３、および反射ミラー３４２，３４４を備え、色分離光学系３３で分離されたＲ光をＲ光用の液晶パネル３５２Ｒまで導く機能を有する。なお、光学ユニット３は、リレー光学系３４がＲ光を導く構成としているが、これに限らず、例えば、Ｂ光を導く構成としてもよい。
【００３２】
電気光学装置３５は、色分離光学系３３で分離された各色光を画像情報に応じて変調し、変調した各色光を合成する。電気光学装置３５は、図３に示すように、入射側偏光板３５１、光変調装置としての液晶パネル３５２、射出側偏光板３５３、クロスダイクロイックプリズム３５４、フレーム３５５および支持部材３５６（いずれも図４参照）を備えている。また、液晶パネル３５２、射出側偏光板３５３、クロスダイクロイックプリズム３５４、フレーム３５５および支持部材３５６は光学装置３５０として構成される。
【００３３】
入射側偏光板３５１、液晶パネル３５２および射出側偏光板３５３は、３色の色光毎に備えられている（Ｒ光用の液晶パネルを３５２Ｒ、Ｇ光用の液晶パネルを３５２Ｇ、Ｂ光用の液晶パネルを３５２Ｂとする）。そして、入射側偏光板３５１は、光学部品用筐体４に配置され、液晶パネル３５２および射出側偏光板３５３は、フレーム３５５を介してクロスダイクロイックプリズム３５４に取り付けられる。
【００３４】
クロスダイクロイックプリズム３５４は、４つの直角プリズムを貼り合わせた平面視略正方形状をなし、直角プリズム同士を貼り合わせた界面には、２つの誘電体多層膜が形成されている。
クロスダイクロイックプリズム３５４は、各色光の入射側偏光板３５１および液晶パネル３５２がそれぞれ取り付けられる３つの光入射側端面を有している。そして、クロスダイクロイックプリズム３５４は、誘電体多層膜が液晶パネル３５２Ｒ，３５２Ｂにて変調された色光を反射し、液晶パネル３５２Ｇにて変調された色光を透過して、各色光を合成する。
【００３５】
フレーム３５５は、板金製であり、図４に示すように、各液晶パネル３５２を保持するように形成されている。
【００３６】
支持部材３５６は、液晶パネル３５２および射出側偏光板３５３が取り付けられたクロスダイクロイックプリズム３５４を支持し、保持部６に取り付けられる。
支持部材３５６は、詳細な説明は省略するが、図４に示すように、クロスダイクロイックプリズム３５４（図３参照）の上面に固定される。支持部材３５６は、Ｘ−Ｚ平面に沿って延出する延出部３５６１を有し、延出部３５６１には、ネジが挿通される挿通孔、および保持部６との位置決めを行うためのガイド穴が設けられている。そして支持部材３５６は、挿通孔にネジが挿通され、図４に示すように、保持部６に固定される。
【００３７】
光学部品用筐体４は、図４に示すように、下部筐体４１、および上部筐体４２を備えている。
下部筐体４１は、ＢＭＣ（Bulk Molding Compound）等の高耐熱材料で形成され、ロアーケース２２の底面に沿って配置される底面部と、底面部の端縁から起立する側面部とを有し、上方が開口する箱状に形成されている。
下部筐体４１は、一方の端部（−Ｘ側端部）に光源装置３１が着脱可能に収納される光源収納部４１１が形成され、他方の端部に光学装置３５０が収納される光学装置収納部４１２が形成されている。そして、光源収納部４１１と光学装置収納部４１２との間の側面部の内壁面には、複数の溝が設けられている。第１レンズアレイ３２１等の各光学部品は、側端部がこの溝に挿入されて配置される。
【００３８】
光学装置収納部４１２には、図４に示すように、＋Ｙ側の側面部に開口部が設けられ、この開口部の両端には、一対の壁部４１２１が形成されている。
一対の壁部４１２１の＋Ｙ側の面には、ネジ穴およびガイド穴が設けられている。また、一対の壁部４１２１の下端部には、前方に突出する突起部４１２２がそれぞれ設けられている。そして、この突起部４１２２には、上下方向に貫通し、ネジが挿通される挿通孔４１２２Ｈが形成されている。
【００３９】
また、下部筐体４１には、側面部から突出する２つの固定部４１３，４１４が形成されている。
具体的に、固定部４１３は、図４に示すように、光源装置３１近傍の前側（＋Ｙ側）の側面部から突出して形成されている。固定部４１４は、図２に示すように、後側（−Ｙ側）の側面部から突出して形成されている。そして、固定部４１３，４１４には、ネジＳＣ（図２参照）が挿通される挿通孔がそれぞれ形成されている。
【００４０】
上部筐体４２は、ガラス繊維入りのＰＣ（Polycarbonate）等の合成樹脂製であり、図４に示すように、下部筐体４１の上方の開口部を覆いうように形成されている。そして、上部筐体４２は、光学装置収納部４１２の上方においては、光学装置３５０が配置可能に凹部を有し、下部筐体４１にネジ固定される。
【００４１】
投写レンズ５は、光軸５Ｃ（図４参照）に沿って配置される複数のレンズ（一部のレンズは、図示省略）を有して構成され、クロスダイクロイックプリズム３５４から射出された光をスクリーン上に拡大投写する。本実施形態の投写レンズ５は、短焦点および広角化に寄与するレンズを備え、近接投写が可能に構成されている。
【００４２】
保持部６は、図４に示すように、電気光学装置３５の光路後段側に配置される。そして、保持部６は、投写レンズ５および光学装置３５０を保持し、光学部品用筐体４に取り付けられる。そして、光学ユニット３は、光学部品用筐体４の固定部４１３，４１４の挿通孔にネジＳＣが挿通されてロアーケース２２に固定される。なお、投写レンズ５および保持部６の構成については、後で詳細に説明する。
【００４３】
電源ユニット７は、外部の商用電源から供給された交流電力を整流、平滑化し、光源３１１および制御部等に供給する。電源ユニット７は、図２に示すように、略Ｌ字形状の光学ユニット３の内側に配置される。電源ユニット７の構成については、後で詳細に説明する。
【００４４】
冷却装置８は、第１冷却系８１、第２冷却系８２、および第３冷却系８３を備えている。
第１冷却系８１は、図２に示すように、電気光学装置３５の近傍に配置される吸気ファン８１１および吸気ダクト８１２を備えている。そして、第１冷却系８１は、吸気口２５１（図１参照）から取り込んだ外気を電気光学装置３５や偏光変換素子３２３に送風し、これらの光学部品を冷却する。
【００４５】
第２冷却系８２は、第１の排気ファン８２１を備えている。第１の排気ファン８２１は、軸流ファンで構成され、図２に示すように、電源ユニット７と第１の排気口２８との間に配置される。そして、第１の排気ファン８２１は、電源ユニット７内の空気を第１の排気口２８からプロジェクター１の外部に排出する。
【００４６】
第３冷却系８３は、光源用ファン８３１、第２の排気ファン８３２および排気ダクト８３３を備え、主に光源装置３１を冷却するように構成されている。第３冷却系８３の構成については、後で詳細に説明する。
【００４７】
スピーカー９は、図２に示すように、光源装置３１の後方の外装筐体２内の隅部に配置され、プロジェクター１に入力される音声信号に応じた音声や音楽等の音を出力する。
【００４８】
〔投写レンズの構成〕
ここで、投写レンズ５について、詳細に説明する。
投写レンズ５は、図４に示すように、複数のレンズの中で最も光路後段側に位置する前側レンズ５１、鏡筒５２、鏡筒５２内に配置される複数のレンズ（図示省略）、レンズ枠５３、およびフォーカスリング５４を備えている。
【００４９】
前側レンズ５１は、広角化に寄与するレンズであり、外形寸法が鏡筒５２の外形寸法より大きく形成されている。また、前側レンズ５１は、図４に示すように、下側の端部が削除されたような形状を有し、投写レンズ５に入射する光は、前側レンズ５１から上方に向かって射出される。
【００５０】
鏡筒５２は、図４に示すように、フランジ部５２１、フランジ部５２１の光路前段側（−Ｙ側）を形成する前段側形成部５２２、フランジ部５２１の光路後段側（＋Ｙ側）を形成する後段側形成部（図示省略）を有している。
フランジ部５２１は、光軸５Ｃ方向における鏡筒５２の略中央部に設けられ、光軸５Ｃに対して略直交する方向に突出し、平面視矩形状に形成されている。フランジ部５２１は、投写レンズ５が保持部６に支持される部位であり、鏡筒５２の略中央部に形成されることで、投写レンズ５は、重心位置に近い位置が支持されることとなる。フランジ部５２１には、保持部６に保持されるためのガイド穴、およびネジ孔が形成されている。
【００５１】
前段側形成部５２２は、図４に示すように、フランジ部５２１の光路前段側から延出し、外形が直方体状の角柱部５２２１、および角柱部５２２１の光路前段側から延出し、外形が円柱状の円柱部５２２２を有している。
【００５２】
後段側形成部は、外形が円柱の筒状に形成され、内部に図示しない回転筒やフォーカス調整に寄与するレンズ等が配置される。
レンズ枠５３は、前側レンズ５１を保持し、後段側形成部に図示しない部材を介して固定される。
【００５３】
フォーカスリング５４は、筒状に形成され、後段側形成部が挿通される。そして、フォーカスリング５４は、フランジ部５２１とレンズ枠５３との間に、鏡筒５２に対して回転可能に配置される。
フォーカスリング５４の外周面には、図４に示すように、光軸５Ｃに交差する方向に突出するレバー５４１が設けられている。このレバー５４１は、前述したようにアッパーケース２１の開口部２１２から露出する（図１参照）。
【００５４】
投写レンズ５は、レバー５４１が把持されてフォーカスリング５４が回転されることによって、後段側形成部内の回転筒が回転し、この回転筒に案内されたフォーカス調整に寄与するレンズが移動してフォーカスが調整される。なお、本実施形態のプロジェクター１は、電気的に調整する電子ズームによってズーム調整が行われるように構成されている。
【００５５】
〔保持部の構成〕
次に、保持部６について詳細に説明する。
保持部６は、アルミニウム等の金属製であり、図４に示すように、筒状に形成されている。保持部６は、＋Ｙ側の面に投写レンズ５が取り付けられ、−Ｙ側の面に光学装置３５０が取り付けられる。
【００５６】
保持部６は、図４に示すように、フランジ部５２１を支持するフランジ支持部６１、および鏡筒５２の前段側形成部５２２が挿通される鏡筒挿通部６２を有し、鏡筒挿通部６２の外面には、一対のリブ６３および一対の突起部６５（図４においては、いずれも一方を示す）が設けられている。なお、保持部６は、金属製に限らずガラス繊維等を含む剛性の高い合成樹脂等で形成してもよい。
【００５７】
フランジ支持部６１は、図４に示すように、投写レンズ５のフランジ部５２１に対向して形成され、フランジ部５２１と同様に平面視矩形状に形成されている。そして、フランジ支持部６１には、フランジ部５２１のガイド穴に挿入されるガイドピン、およびフランジ部５２１のネジ孔に螺合するネジが挿通される挿通孔が設けられている。投写レンズ５は、フランジ支持部６１の挿通孔にネジが挿通されてフランジ支持部６１に固定される。
【００５８】
鏡筒挿通部６２は、平面視においてフランジ支持部６１より小さい直方体状に形成されている。鏡筒挿通部６２の−Ｙ側の端部には、前述したように、光学装置３５０がネジ固定される。
【００５９】
一対のリブ６３は、鏡筒挿通部６２の−Ｘ側（図２、図４参照）および＋Ｘ側（図２参照）に設けられ、フランジ支持部６１、および鏡筒挿通部６２から突出している。一対のリブ６３は、光軸５Ｃを通る仮想鉛直面に対し、略対称に形成されている。
【００６０】
リブ６３は、図４に示すように、光軸５Ｃを含むＸ−Ｙ平面に沿う板状の被挟持部６３Ｋ、および被挟持部６３Ｋの後方に設けられた略Ｌ字形状の突起部６３１を有している。
【００６１】
被挟持部６３Ｋは、外装筐体２の前述した挟持部２７（図５参照）に挟持される部位である。
一対の被挟持部６３Ｋは、図２に示すように、光軸５Ｃを含む仮想鉛直面を挟んで両側に形成され、Ｘ方向においてフォーカスリング５４より外側に突出するように形成されている。そして、被挟持部６３Ｋには、ネジが挿通される挿通孔が形成されている。
【００６２】
ここで、外装筐体２に設けられた挟持部２７について、説明する。
図５は、プロジェクター１を＋Ｘ側の上方から見た斜視図であり、被挟持部６３Ｋ近傍の外装筐体２を断面で示した図である。
挟持部２７は、図５に示すように、アッパーケース２１の内面から突出する一対の上側挟持部２７Ｕ（図５においては、一方を示す）、およびロアーケース２２の内面から突出する一対の下側挟持部２７Ｄ（図５においては、一方を示す）を有している。そして、上側挟持部２７Ｕの下面には、ネジ穴が設けられ、下側挟持部２７Ｄは、上面にネジが挿通される挿通孔を有して筒状に形成されている。また、上側挟持部２７Ｕのネジ穴および下側挟持部２７Ｄの挿通孔は、被挟持部６３Ｋに設けられた挿通孔に対応する位置に形成されている。
そして、挟持部２７は、下側挟持部２７Ｄの挿通孔から挿通されたネジが上側挟持部２７Ｕのネジ穴にネジ締めされることによって、投写レンズ５の光軸５Ｃに直交する方向から下側挟持部２７Ｄと上側挟持部２７Ｕとに挟持される。
【００６３】
図４に戻って、突起部６３１は、被挟持部６３Ｋの−Ｙ側の端部から下方に延出した後、−Ｙ方向に延出する略Ｌ字形状に形成されている。この−Ｙ方向に延出する部位は、光学部品用筐体４の突起部４１２２の下方に位置するように形成されており、挿通孔４１２２Ｈに対応する位置にネジ穴が設けられている。
【００６４】
一対の突起部６５は、図４に示すように、光学部品用筐体４の一対の壁部４１２１に対応して形成されている。突起部６５には、壁部４１２１のガイド穴に挿通されるガイドピン、および壁部４１２１のネジ穴に螺合されるネジが挿通される挿通孔６５Ｈが形成されている。
【００６５】
保持部６は、−Ｙ側の面に光学装置３５０が取り付けられ、＋Ｙ側の面に投写レンズ５が取り付けられる。そして、光学装置３５０および投写レンズ５が取り付けられた保持部６は、挿通孔４１２２Ｈおよび挿通孔６５Ｈにネジが挿通されて一対の壁部４１２１に取り付けられ、光学ユニット３として外装筐体２に取り付けられる。
【００６６】
〔電源ユニットの構成〕
次に、電源ユニット７の構成について詳細に説明する。
図６は、電源ユニット７および第１の排気ファン８２１を示す斜視図であり、（ａ）は、後方斜めから見た斜視図、（ｂ）は、前方斜めから見た斜視図である。
【００６７】
電源ユニット７は、図６に示すように、電源ブロック７１、光源駆動ブロック７２、保持枠７３、シールド板７４および絶縁板７５を備えている。電源ユニット７は、光源駆動ブロック７２が電源ブロック７１の上方に位置するように構成され、直方体状に形成されている。
【００６８】
電源ブロック７１は、図示しないインレットコネクターを介して入力された電力を整流し、各種の電圧値の電力に変換して光源駆動ブロック７２、制御部、および冷却装置８に備えられた各種ファン等に出力する。
電源ブロック７１は、図６（ａ）に示すように、電源回路基板７１１、および電源回路基板７１１に実装されたコイル、トランジスター、ダイオード等の回路素子やヒートシンク等を備えている。電源回路基板７１１は、図２に示すように、平面視において略長方形に形成されている。
【００６９】
光源駆動ブロック７２は、図示しないケーブルを介して電源ブロック７１に接続され、電源ブロック７１から供給される電流を整流、変圧して交流矩形波電流を発生させ、光源３１１を駆動する。
光源駆動ブロック７２は、図６（ａ）に示すように、光源駆動回路基板７２１、および光源駆動回路基板７２１に実装されたコイル、トランジスター等の回路素子やヒートシンク等を備えている。光源駆動回路基板７２１は、図２に示すように、平面視において略長方形に形成され、長手方向が電源回路基板７１１と同等の大きさで、短手方向が電源回路基板７１１より小さい形状を有している。
【００７０】
保持枠７３は、合成樹脂製であり、電源ブロック７１および光源駆動ブロック７２を保持すると共に、電源ユニット７内の空気を第１の排気ファン８２１に効率よく導く機能を有している。保持枠７３は、図６に示すように、電源ブロック７１と光源駆動ブロック７２との間に位置するベース部７３１、光源駆動回路基板７２１の短手方向におけるベース部７３１の両端部から上方に突出する上壁部７３２、および下方に突出する下壁部７３３を有している。そして、保持枠７３は、ベース部７３１の上下において、光源駆動回路基板７２１の長手方向に空気が流通できるように形成されている。
【００７１】
ベース部７３１には、電源ブロック７１および光源駆動ブロック７２をネジ固定するための複数のボス７３１１（図６においては、一部を示す）が形成されている。上壁部７３２は、光源駆動ブロック７２の側方を覆うように形成され、下壁部７３３は、電源ブロック７１の側方を覆うように形成されている。また、保持枠７３には、図６（ｂ）に示すように、空気が流れる方向における一方の端部（−Ｘ側の端部）にボス７３４が設けられている。第１の排気ファン８２１は、このボス７３４にネジ固定される。
【００７２】
シールド板７４は、保持枠７３の外側に配置され、電源ブロック７１および光源駆動ブロック７２が放射する電磁波を遮蔽するように構成されている。具体的に、シールド板７４は、光源駆動ブロック７２の上方、上壁部７３２、および下壁部７３３を覆うように形成されている。なお、電源ブロック７１の下方には、ロアーケース２２に配置されたシールド板（図示省略）が配置されており、電源ユニット７の下方は、電源ユニット７がロアーケース２２に固定されることによって、このシールド板によって覆われることとなる。
【００７３】
絶縁板７５は、光源駆動ブロック７２の上方に配置されたシールド板７４と光源駆動ブロック７２との間、および電源ユニット７の下方に位置するシールド板と電源ユニット７との間に配置され、双方の部品のショートを防止するように形成されている。
【００７４】
電源ユニット７は、図２に示すように、略Ｌ字形状に構成された光学ユニット３の内側に、光軸５Ｃに対して傾斜して配置される。具体的に、電源ユニット７は、光軸５Ｃに対して投写レンズ５から光束が投写される方向側（前方側）に鋭角となるように配置される。つまり、電源ユニット７は、図２に示すように、光軸５Ｃに対する前方側の角度θが鋭角となるように配置される。
【００７５】
また、電源ユニット７は、図２に示すように、第１の排気ファン８２１が固定されている側の反対側が、フォーカスリング５４および保持部６に対向して配置され、フォーカスリング５４に対向する側が保持部６に対向する側より光軸５Ｃに接近するように傾斜して配置される。電源ユニット７に固定されている第１の排気ファン８２１は、光軸５Ｃに対して電源ユニット７と同一方向に傾斜することとなる。
【００７６】
また、電源ユニット７は、図２に示すように、＋Ｘ側の端部が投写レンズ５のレンズ枠５３の−Ｘ側の端部より＋Ｘ側に位置するように配置されている。
そして、電源ユニット７が傾斜して配置されることによって生じるスペースに、−Ｘ側の被挟持部６３Ｋおよび排気ダクト８３３が設けられることとなる。
【００７７】
〔第３冷却系の構成〕
次に、第３冷却系８３の構成について詳細に説明する。
第３冷却系８３は、前述したように、光源用ファン８３１、第２の排気ファン８３２および排気ダクト８３３を備えている。
光源用ファン８３１は、シロッコファンで構成され、図２に示すように、光源装置３１の後方（−Ｙ方向）に配置され、光源用筐体３１４の送風口に空気を送風する。
第２の排気ファン８３２は、軸流ファンで構成され、第２の排気口２９の内側で、＋Ｙ側が光源装置３１より突出するように配置される。
【００７８】
排気ダクト８３３は、図２に示すように、光源装置３１と電源ユニット７との間に配置される。排気ダクト８３３は、光源装置３１より＋Ｘ側に突出し、−Ｘ方向に向かう程＋Ｙ方向に広がる形状を有し、第２の排気ファン８３２の＋Ｘ側端部を覆うように形成されている。
【００７９】
排気ダクト８３３には、図示は省略するが、光源用筐体３１４の排気口３１５（図４参照）に連通する流入口、および第２の排気ファン８３２に連通する排出口が設けられ、この流入口から排出口に空気が流通する流路が形成されている。
そして、光源用ファン８３１から送風され、光源装置３１を冷却して温まった空気は、排気ダクト８３３の流通し、第２の排気ファン８３２によって第２の排気口２９から排出される。
【００８０】
このように、電源ユニット７は、光軸５Ｃに対し、投写レンズ５から光束が投写される方向側に鋭角となるように傾斜して配置される。そして、電源ユニット７が傾斜して配置されることによって生じるスペースに、被挟持部６３Ｋおよび排気ダクト８３３が設けられている。
【００８１】
以上説明したように、本実施形態のプロジェクター１によれば、以下の効果を得ることができる。
（１）電源ユニット７は、略Ｌ字形状の光学ユニット３の内側に配置されているので、効率よくプロジェクター１内に収納され、プロジェクター１の小型化が図れる。
また、電源ユニット７は、光軸５Ｃに対し、光束が投写される方向側に鋭角となるように傾斜して配置されている。これによって、投写レンズ５と電源ユニット７との間のスペースを光路後段側より光路前段側を広く形成することができるので、挟持部２７および被挟持部６３Ｋを盛り込むことが可能となる。よって、投写レンズ５の自重やプロジェクター１に衝撃が加わった際の、投写レンズ５の倒れやずれを抑制しつつ、電源ユニット７を効率よく配置することが可能となる。
したがって、投写レンズ５の自重や衝撃等による画質の劣化を抑制しつつ小型化を図ったプロジェクター１の提供が可能となる。
【００８２】
（２）第１の排気ファン８２１は、電源ユニット７と同一方向に傾斜しているので、外装筐体２をこの第１の排気ファン８２１に沿って形成することで、大型化を抑制して、外装筐体２の側面を傾斜させることができる。これによって、プロジェクター１を小型として認識させたり、デザイン性の向上を図ったりすることが可能となる。
【００８３】
（３）プロジェクター１は、光源装置３１を冷却するための第２の排気ファン８３２および排気ダクト８３３を備え、排気ダクト８３３は、電源ユニット７と光源装置３１との間に配置されている。電源ユニット７は、光軸５Ｃに対して傾斜しているので、電源ユニット７が光軸５Ｃに対して略直交するように配置される構成に比べ、排気ダクト８３３の排気側を大きく形成できる。つまり、光源装置３１から第２の排気ファン８３２に至るに伴って空気の流路が広がるように形成できる。よって、小型化を図りつつ、光源装置３１を効率的に冷却できるプロジェクター１の提供が可能となる。
【００８４】
（４）排気ダクト８３３が光源装置３１の前側（電源ユニット７と光源装置３１との間）に配置されているので、外装筐体２内の光源装置３１の後側にスピーカー９を収納できる。よって、大型化を抑制してスピーカー９を備えるプロジェクター１の提供が可能となる。
【００８５】
（変形例）
なお、前記実施形態は、以下のように変更してもよい。
前記実施形態の電源ユニット７は、光源駆動ブロック７２が電源ブロック７１の上方に位置するように構成されているが、電源ブロック７１が光源駆動ブロック７２の上方に位置するように構成してもよい。
【００８６】
前記実施形態の挟持部２７は、保持部６を挟持するように構成されているが、投写レンズ５を挟持するように構成してもよい。例えば、フランジ部５２１に挟持部２７で挟持可能な被挟持部を形成し、この被挟持部を挟持するように構成してもよい。
【００８７】
前記実施形態のプロジェクター１は、ズーム調整を電子ズームで行うように構成されているが、投写レンズ５にズーム調整できる機能を盛り込むように構成してもよい。
【００８８】
前記実施形態のプロジェクター１は、光変調装置として透過型の液晶パネル３５２を用いているが、反射型液晶パネルを利用したものであってもよい。
【００８９】
光源３１１は放電型のランプに限らず、その他の方式のランプや発光ダイオード等の固体光源で構成してもよい。
【符号の説明】
【００９０】
１…プロジェクター、２…外装筐体、３…光学ユニット、４…光学部品用筐体、５…投写レンズ、５Ｃ…光軸、６…保持部、７…電源ユニット、８…冷却装置、９…スピーカー、２７…挟持部、２８…第１の排気口、２９…第２の排気口、３１…光源装置、３５…電気光学装置、６３Ｋ…被挟持部、７１…電源ブロック、７２…光源駆動ブロック、７３…保持枠、７４…シールド板、７５…絶縁板、３１１…光源、７１１…電源回路基板、７２１…光源駆動回路基板、８２１…第１の排気ファン、８３２…第２の排気ファン、８３３…排気ダクト。
【図１】
2012226033.tif 000003
【図２】
2012226033.tif 000004
【図３】
2012226033.tif 000005
【図４】
2012226033.tif 000006
【図５】
2012226033.tif 000007
【図６】
2012226033.tif 000008